(57)【特許請求の範囲】
【請求項１】
プリンタ本体と開閉カバーを備えるプリンタであって、
ロール状の記録紙を収納する収納部と、
前記記録紙を切断する切断装置と、
前記開閉カバーに取り付けられ、底面部と先端側にストッパを備えているスタッカとを有し、
前記開閉カバーは、前記プリンタ本体の下端部に回転可能に支持され、前記収納部を閉じる位置である起立状態の閉じ位置から、前記収納部を開放する位置である所定角度だけ倒れた開き位置までの間を回転可能であり、
前記スタッカは、前記開閉カバーに回転可能に支持されており、前記切断装置により切断され前記プリンタ本体から排出された前記記録紙を受け取る突出位置から、所定角度回転した退避位置までの間を回転可能であり、
また、前記スタッカは前記開閉カバーに回転可能に支持される腕部を備えており、前記スタッカにおける回転中心からの前記腕部の長さは、前記スタッカの回転中心から前記開閉カバーの上端までの距離よりも長くなっていて、これにより、前記開閉カバーが前記開き位置から前記閉じ位置に向かって回転すると、前記スタッカは自重により前記腕部が前記開閉カバー側に向かう第１の向きに回転して前記突出位置に移動するように構成されると共に、前記開閉カバーが前記閉じ位置から前記開き位置へ向かって回転すると、前記スタッカは自重でぶら下がった姿勢のまま前記スタッカの下降方向の先端が前記プリンタの底面が載っている設置面に到達するまで下降し、さらにそこから前記開閉カバーの開き角度が増すにつれて前記腕部が前記第１の向きとは逆向きに回転して前記スタッカが前記退避位置に到達し得るように構成されていて、
前記突出位置は、前記スタッカが前記開閉カバーに押し付けられて止まっている位置であって、前記底面部が前記開閉カバー側から外方に向かって斜め下向きに傾斜する位置であり、
前記突出位置において、排出された前記記録紙は、傾斜した前記底面部上を滑り、その先端部が前記ストッパに突き当たって止まり、前記スタッカの先端側に堆積可能であることを特徴とするプリンタ。
【請求項２】
請求項１に記載のプリンタにおいて、
前記スタッカが、前記開閉カバーの前記閉じ位置から前記開き位置側への回転に伴って下降していき、前記スタッカの下降方向の先端が前記設置面に到達した状態において、前記スタッカの回転中心から前記先端へ向かう直線が、前記設置面に対し所定の角度を成すことを特徴とするプリンタ。
【請求項３】
請求項１に記載のプリンタにおいて、
前記スタッカが、前記開閉カバーの前記閉じ位置から前記開き位置側への回転に伴って下降していき、前記スタッカの下降方向の先端が前記設置面に到達した状態において、前記先端から前記スタッカの回転中心へ向かう直線が、当該回転中心を通る垂線に対して、前記スタッカの回転中心から前記開閉カバーの回転中心へ向かう傾き方向と逆方向に傾いていることを特徴とするプリンタ。
【請求項４】
請求項１ないし３のいずれかの項に記載のプリンタにおいて、
前記プリンタ本体と前記開閉カバーの間に形成した排紙口を有し、
前記開閉カバーは、前記排紙口から排出される記録紙をガイドするための排紙ガイドを備え、
当該排紙ガイドは、前記開閉カバーから外方に突出しており、当該排紙ガイドの下端部に前記スタッカが回転可能に支持されていることを特徴とするプリンタ。
【請求項５】
請求項１ないし４のいずれかの項に記載のプリンタにおいて、
前記開閉カバーが前記閉じ位置から前記開き位置側へ回転する際の速度を調整するダンパ機構を備えていることを特徴とするプリンタ。
【請求項６】
請求項１ないし５のいずれかの項に記載のプリンタにおいて、
前記開閉カバーが前記閉め位置の時、前記開閉カバーにおける前記スタッカにより覆われる部位に、窓部が形成されていることを特徴とするプリンタ。
【請求項７】
請求項１ないし６のいずれかの項に記載のプリンタにおいて、
前記開閉カバーは、前記プリンタ本体の前面に取り付けられており、前記プリンタ本体における前記記録紙の収納部に連通する開口を開閉することを特徴とするプリンタ。
【請求項８】
請求項７に記載のプリンタにおいて、
前記開閉カバーが開き位置のとき、前記開口は、ロール状の前記記録紙を前記収納部に収納可能な大きさとなることを特徴とするプリンタ。
【発明の詳細な説明】
【技術分野】
【０００１】
本発明は、ロール紙などの記録用紙を収納する収納部などを開閉する開閉カバーを備えたプリンタに関し、さらに詳しくは、この開閉カバーに、プリンタ内部から排出した記録用紙を堆積するスタッカを取り付けたプリンタに関する。
【背景技術】
【０００２】
ロール紙プリンタなどのように連続紙に印刷を行うプリンタでは、プリンタ本体の開閉カバーを開いてロール紙の収納部を開放状態とし、ロール紙を容易に補充あるいは交換できるようにしている。特許文献１には、プリンタ本体の前面に開口を設け、この開口を封鎖しているロール紙カバーを手前側に倒してロール紙の収納部を外部に開放し、ロール紙の補充あるいは交換を行うロール紙プリンタが開示されている。
【０００３】
特許文献１では、ロール紙カバーの上端側に排紙テーブルが設けられている。排紙テーブルの支持部材はロール紙カバーの上の排紙口からプリンタ本体内に延びており、プリンタ本体内におけるプラテンの側面からプリンタ幅方向に延びる支持軸に回転自在に取り付けられている。ロール紙カバーはブラケットによってプラテンに連結されているので、排紙テーブルを手前側に引っ張るとプラテンが手前側にせり出し、それと共に、プラテンの前面側に取り付けられたロール紙カバーが手前側に倒れる構造になっている。
【特許文献１】特開２００１−２１３５５２号公報
【発明の開示】
【発明が解決しようとする課題】
【０００４】
特許文献１のロール紙プリンタは、前開き式のロール紙プリンタにおいてロール紙カバーの上に排紙口および排紙テーブルを設けて印刷済みの記録用紙を排出することができるが、排紙テーブルの支持部材がプラテン側から延びており、また、排紙テーブルの下面側にはロール紙カバーの上端に係合する保護板などが設けられているので、排紙テーブルおよびその支持部分の構造が複雑であった。
【０００５】
また、ロール紙カバーの上の排紙口から落ちる紙を受けるために、ロール紙カバーの前面に直接排紙トレーやスタッカを取り付けたプリンタも提案されているが、このような構成では、ロール紙カバーを手前側に開いたときにロール紙カバーとプリンタの設置面（プリンタの底面が乗っている面からプリンタ前方に延びている面）との間に排紙トレーやスタッカが挟まってしまい、ロール紙カバーを全開にすることができない。そこで、ロール紙カバーを開けるときにその都度排紙トレーやスタッカなどを取り外す必要があり、ロール紙の補充・交換作業が煩雑であった。また、ロール紙の残量確認用の窓をロール紙カバーに形成したプリンタも提案されているが、ロール紙カバーの前面に排紙トレーやスタッカを取り付けると、残量確認用の窓が塞がれて残量確認ができなくなってしまうという問題点があった。
【０００６】
本発明の課題は、このような点に鑑みて、ロール紙カバーなどの開閉カバーの前面に取り付けたスタッカを、この開閉カバーの開閉やロール紙の交換・残量確認などの邪魔にならないように動かすことができる簡易な構成のプリンタを提供することにある。
【課題を解決するための手段】
【０００７】
上記の課題を解決するために、本発明のプリンタは、
プリンタ本体に取り付けられている開閉カバーと、
当該開閉カバーに取り付けられているスタッカとを有し、
前記開閉カバーは、前記プリンタ本体に回転可能に支持されている下端部を備え、当該下端部を中心として、起立状態の閉じ位置から、所定角度だけ倒れた開き位置までの間を旋回可能であり、
前記スタッカは、その一端が前記開閉カバーに回転可能に支持されており、前記一端を中心として、排出された記録紙を受け取る突出位置から上方に旋回した退避位置までの間を旋回可能であることを特徴とする。
プリンタ本体と開閉カバーを備えるプリンタであって、
ロール状の記録紙を収納する収納部と、
前記記録紙を切断する切断装置と、
前記開閉カバーに取り付けられ、底面部と先端側にストッパを備えているスタッカとを有し、
前記開閉カバーは、前記プリンタ本体の下端部に回転可能に支持され、前記収納部を閉じる位置である起立状態の閉じ位置から、前記収納部を開放する位置である所定角度だけ倒れた開き位置までの間を回転可能であり、
前記スタッカは、前記開閉カバーに回転可能に支持されており、前記切断装置により切断され前記プリンタ本体から排出された前記記録紙を受け取る突出位置から、所定角度回転した退避位置までの間を回転可能であり、
また、前記スタッカは前記開閉カバーに回転可能に支持される腕部を備えており、前記スタッカにおける回転中心からの前記腕部の長さは、前記スタッカの回転中心から前記開閉カバーの上端までの距離よりも長くなっていて、これにより、前記開閉カバーが前記開き位置から前記閉じ位置に向かって回転すると、前記スタッカは自重により前記腕部が前記開閉カバー側に向かう第１の向きに回転して前記突出位置に移動するように構成されると共に、前記開閉カバーが前記閉じ位置から前記開き位置へ向かって回転すると、前記スタッカは自重でぶら下がった姿勢のまま前記スタッカの下降方向の先端が前記プリンタの底面が載っている設置面に到達するまで下降し、さらにそこから前記開閉カバーの開き角度が増すにつれて前記腕部が前記第１の向きとは逆向きに回転して前記スタッカが前記退避位置に到達し得るように構成されていて、
前記突出位置は、前記スタッカが前記開閉カバーに押し付けられて止まっている位置であって、前記底面部が前記開閉カバー側から外方に向かって斜め下向きに傾斜する位置であり、
前記突出位置において、排出された前記記録紙は、傾斜した前記底面部上を滑り、その先端部が前記ストッパに突き当たって止まり、前記スタッカの先端側に堆積可能であることを特徴とする。
【０００８】
本発明のプリンタは、このように、起立状態と傾斜状態との間で旋回する開閉カバーにスタッカの一端を回転可能に取り付けており、スタッカは、排出された記録紙を受け取る突出位置から上方に旋回した退避位置までの間を旋回可能である。よって、スタッカを取り外さなくても、スタッカを上方に回転させるだけで開閉カバーの前面側からどけることができる。また、スタッカを取り外さなくても、開閉カバーを開き位置側に倒したときに、開閉カバーの下端側と設置面との間からスタッカを退避させることができるので、スタッカが開閉カバーの開動作の邪魔にならないようにすることができる。これにより、プリンタ本体の開口をより大きく開けるためにスタッカを取り外す手間を省略できる。
【０００９】
本発明において、前記スタッカは、前記開閉カバーの前記開き位置側への旋回に伴って下降し、前記スタッカの下降方向の先端が前記プリンタ本体の底面と同じ高さに到達した状態において、前記先端と前記スタッカの旋回中心とを結ぶ直線が、当該旋回中心を通る垂線に対して、前記開閉カバーの傾き方向と逆方向に傾いているとよい。
前記スタッカが、前記開閉カバーの前記閉じ位置から前記開き位置側への回転に伴って下降していき、前記スタッカの下降方向の先端が前記設置面に到達した状態において、前記スタッカの回転中心から前記先端へ向かう直線が、前記設置面に対し所定の角度を成すことを特徴とする。
前記スタッカが、前記開閉カバーの前記閉じ位置から前記開き位置側への回転に伴って下降していき、前記スタッカの下降方向の先端が前記設置面に到達した状態において、前記先端から前記スタッカの回転中心へ向かう直線が、当該回転中心を通る垂線に対して、前記スタッカの回転中心から前記開閉カバーの回転中心へ向かう傾き方向と逆方向に傾いていることを特徴とする。
【００１０】
本発明において、前記スタッカは、スタッカ本体と、当該スタッカ本体から延びている腕部とを備え、当該腕部の一端が前記開閉カバーに回転可能に支持されており、前記開閉カバーが前記閉じ位置にある状態においては、前記スタッカは、その自重によって前記腕部が前記開閉カバー側に旋回すると共に、前記突出位置に保持されているとよい。
前記スタッカは、前記開閉カバーに回転可能に支持される腕部を備えており、
前記開閉カバーが前記閉じ位置に向かって回転すると、前記腕部が前記開閉カバー側に向かって回転し、前記スタッカは前記突出位置に移動されることを特徴とする。
このようにすると、腕部の上端を開閉カバーに回転可能に取り付けるだけで、開閉カバーの表面からプリンタ外方に突出する姿勢にスタッカ本体を保持できる。また、スタッカ本体を持ち上げるだけで、スタッカを退避位置側に旋回させることができる。
【００１１】
本発明において、前記腕部の長さは、前記スタッカの旋回中心から前記開閉カバーの上端までの距離よりも長いとよい。
前記スタッカにおける回転中心からの前記腕部の長さは、前記スタッカの回転中心から前記開閉カバーの表面までの距離よりも長いことを特徴とする。
このようにすると、スタッカを退避位置側に旋回させるときに、開閉カバーの上端部分がスタッカ本体に干渉しない。よって、開閉カバーを開き位置側に倒したときに、スタッカの自由端側が開閉カバーとプリンタ本体の設置面との間に入り込まないようにすることができる。これにより、プリンタ本体の開口をより大きく開けるためにスタッカを取り外す手間を省略できる。
【００１２】
本発明において、前記プリンタ本体における前記開閉カバーの上側の部位に形成した排紙口を有し、前記開閉カバーは、前記排紙口から排出される記録紙をガイドするための排紙ガイドを備え、当該排紙ガイドは、前記開閉カバーの上端部において当該開閉カバーの表面からプリンタ外方に突出しており、当該排紙ガイドの下端部に前記スタッカが回転可能に支持されているとよい。
前記プリンタ本体と前記開閉カバーの間に形成した排紙口を有し、
前記開閉カバーは、前記排紙口から排出される記録紙をガイドするための排紙ガイドを備え、
当該排紙ガイドは、前記開閉カバーから外方に突出しており、当該排紙ガイドの下端部に前記スタッカが回転可能に支持されていることを特徴とする。
このようにすると、排紙ガイドの下側において開閉カバーの表面からプリンタ外方に突出した姿勢でスタッカを保持することができるので、排紙ガイドから落ちる紙をスタッカで受けることができる。
【００１３】
本発明において、前記開閉カバーが前記開き位置側へ作動する際の速度を調整するダンパ機構を備えているとよい。このようにすると、スタッカがプリンタ本体の設置面に接触するときの衝撃を小さくすることができる。
【００１４】
本発明において、前記開閉カバーが前記閉め位置の時、前記開閉カバーにおける前記スタッカにより覆われる部位に、窓部が形成されているとよい。このようにすると、スタッカを回転させて窓部を塞がない姿勢にすることができる。よって、スタッカを取り外さなくても窓部からプリンタ本体内のロール紙の残量を確認できる。
【００１５】
本発明において、前記開閉カバーは、前記プリンタ本体の前面に取り付けられており、前記プリンタ本体における記録用紙の収納部に連通する開口を開閉するとよい。
前記開閉カバーが開き位置のとき、前記開口は、ロール状の前記記録紙を前記収納部に収納可能な大きさとなることを特徴とする。
このように、本発明は、プリンタ本体の前面に記録紙の交換用の開閉カバーが設けられた前開き式のプリンタに適用できる。
【発明の効果】
【００１６】
本発明のプリンタは、起立状態と傾斜状態との間で旋回する開閉カバーにスタッカの一端を水平軸線回りに回転可能に取り付けて、このスタッカを、開閉カバーの表面からプリンタ外方に突出している突出位置から上方に旋回した退避位置までの間を旋回可能にしている。よって、スタッカを取り外さなくても、スタッカを回転させるだけで開閉カバーの前面側からどけることができる。また、スタッカを取り外さなくても、開閉カバーを開き位置側に倒したときに、開閉カバーの下端側から上端側にスタッカを退避させることができるので、スタッカが開閉カバーの開動作の邪魔にならないようにすることができる。よって、プリンタ本体の開口をより大きく開けるためにスタッカを取り外す手間を省略できる。
【発明を実施するための最良の形態】
【００１７】
以下、本発明の実施の形態について、図面を参照しながら説明する。
【００１８】
（全体構成）
図１は本実施形態のロール紙プリンタの斜視図である。ロール紙プリンタ１は、その内部にロール紙２（図２参照）などの連続した記録用紙を転動可能に保持しており、この記録用紙の印刷済み部分を切断して排出する。ロール紙プリンタ１は、図１に示すように、全体としてほぼ直方体形状をしたプリンタ本体１０と、プリンタ本体１０における外装ケース１１の前面部分に取り付けられたスタッカ２０を備えている。外装ケース１１におけるスタッカ２０の上部側には、ロール紙の紙幅よりも広い水平な排紙口１２が設けられており、排紙口１２の下には排紙ガイド１３が設けられている。
【００１９】
プリンタ本体１０内のロール紙収納部に収納されたロール紙２から繰り出される記録用紙は、搬送ローラ対などによって所定の張力が付与された状態で引き出される。記録用紙は、プリンタ本体１０内において印刷位置を経由する搬送経路に沿って所定ピッチで間欠的に送り出され、インクジェットヘッドによって印刷が施される。印刷後の記録用紙は、排紙口１２の内側に配置された切断装置によって切断され、排紙口１２からプリンタ本体１０の前面側に排出される。
【００２０】
外装ケース１１の前面部分には、排紙口１２の下側にロール紙交換用の矩形の開口１１ａが形成されている。この開口１１ａはロール紙カバー１４（開閉カバー）によって封鎖または開放される。ロール紙カバー１４の上端には、プリンタ本体１０の前面側に張り出す張り出し部１６が設けられている。張り出し部１６の上面は下方に傾斜する傾斜面となっており、この傾斜面の上端部分に排紙ガイド１３が載っている。すなわち、張り出し部１６は、排紙ガイド１３と一体になって排紙口１２から排出される記録用紙を所定の排出方向にガイドする。不図示の印刷ヘッドにより印刷された後、不図示のオートカッタにより切断されて、排紙口１２から排出される記録用紙は、張り出し部１６の上面を滑ってその先端から落下し、スタッカ２０の上に落ちて堆積する。張り出し部１６の下面側には、スタッカ２０の一端が回転可能に取り付けられている。また、外装ケース１１の前面部分における排紙ガイド１３および張り出し部１６の隣には、ロール紙カバー１４を開閉するためのレバー１５が設けられている。張り出し部１６の下には、プリンタ本体１０内のロール紙収納部を覗くための窓部１７が形成されている。
【００２１】
ロール紙カバー１４の下端１４ａは、プリンタ本体１０によって支持されているので、ロール紙カバー１４は水平軸線回りに回転可能になっている。図２はロール紙カバー１４の動作説明図である。ロール紙カバー１４は、図２（ａ）に示すように、ロール紙交換用の開口を閉鎖しているときは起立状態の閉じ位置Ａ１にある。ロール紙交換用の開口を開ける場合には、レバー１５を操作してロール紙カバー１４のロックを解除する。そして、ロール紙カバー１４の上端側を手前側に引き出してロール紙カバー１４を手前側に傾け、図２（ｂ）に示す開き位置Ａ２まで旋回させる。これにより、排紙ガイド１３およびプリンタ内部におけるプラテンフレーム１８などの印刷機構がロール紙カバー１４と一体になって手前側に移動し、プリンタ内部に形成されているロール紙収納部から排紙口１２に至る部分が開放状態になる。ロール紙収納部にはロール紙２がプリンタ幅方向に向いた横置き状態で収納される。よって、ロール紙プリンタ１の前面側からロール紙２の交換作業などを簡単に行うことができるようになる。
【００２２】
張り出し部１６はロール紙カバー１４の上端部分を構成しているが、ロール紙カバー１４の内側にあるプラテンフレーム１８と一体になって動く。本実施形態では、張り出し部１６はロール紙カバー１４の下側部分とは別体の部材で構成されており、ロール紙カバー１４の上端部分に水平軸線回りに回転可能に取り付けられている。プラテンフレーム１８は、４節リンク機構などによってほぼ水平な状態を維持したままロール紙カバー１４の開動作に連動して手前側に斜め下に向かって移動するが、このとき、張り出し部１６は、プラテンフレーム１８と一体になって水平な状態を保ったまま斜め下に移動する。なお、張り出し部１６をロール紙カバー１４の上端部分に取り付けず、プラテンフレーム１８によって支持してロール紙カバー１４に連動して動く構成にしてもよい。
【００２３】
ロール紙カバー１４は、ロール紙カバー１４の側面などに取り付けられた緩衝ばねやエアー式、あるいは油圧式のシリンダなどのダンパ機構１９によって外装ケース１１あるいはプリンタ本体１０内のフレームと連結されている。ダンパ機構１９は、ロール紙カバー１４が一定以上の速度で開き位置Ａ２側または閉じ位置Ａ１側に移動しようとするときにロール紙カバー１４の開閉速度を減速するので、ロール紙カバー１４を閉じる際に、ロール紙カバー１４が外装ケース１１にぶつかることによる衝撃や騒音が緩和される。また、ロール紙カバー１４を開ける際に、スタッカ２０がロール紙カバー１４の設置面Ｄにぶつかることによる衝撃や騒音が緩和される。
【００２４】
（スタッカの構成）
図３はスタッカ２０の斜視図である。スタッカ２０は、全体として矩形の皿型であり、張り出し部１６の下側からプリンタ本体１０の前方側に向かって、斜め下向きに傾斜しながら張り出すように取り付けられている。スタッカ２０は、矩形の底面部２１における３辺からそれぞれ側面部２２，２３，２４が立ち上がって３方向を囲んでおり、残る１辺にはストッパ２５が形成されているスタッカ本体２０Ａを備えている。スタッカ本体２０Ａにおける側面部２３は両隣の側面部２２，２４よりも厚みをもって形成されており、上端側が外向きに傾いている。また、側面部２３の中央部分には、側面部２３から逆Ｔ字状に上に延びる腕部２６の下端が接続している。腕部２６の上端における左右の側端部分はそれぞれ上部に突出しており、各突出部分から腕部２６の側方に向かって、それぞれ、ヒンジピン２６ａ，２６ｂが突き出ている。ヒンジピン２６ａ，２６ｂは、腕部２６内に設けられた板ばねなどの付勢部材によって腕部２６の側端面から突き出る方向に付勢されているが、その先端を押圧すると腕部２６内に引っ込む構造になっている。
【００２５】
張り出し部１６の下面部分には、腕部２６を回転可能に取り付けるための取付部が設けられている。具体的には、張り出し部１６の下面側には、腕部２６の先端に設けられたヒンジピン２６ａ，２６ｂを回転可能に支持するためのヒンジピン受け部が形成されている。このヒンジピン受け部にヒンジピン２６ａ，２６ｂを装着すると、スタッカ２０は、ヒンジピン２６ａ，２６ｂの回転中心である水平な軸線Ｃまわりに回転可能になる。軸線Ｃは、ロール紙カバー１４の表面に対して平行な軸線である。スタッカ２０は、ロール紙カバー１４が閉じ位置Ａ１にあるときには、その自重により、ヒンジピン２６ａ，２６ｂを中心に腕部２６が回転し、スタッカ２０の後端側がロール紙カバー１４に突き当たるまで少し下側に回転した位置で止まっている（図２（ａ）参照）。すなわち、側面部２３がロール紙カバー１４に押し付けられ、ロール紙カバー１４の表面からプリンタ前方に突出した突出位置Ｂ１で止まっている。このとき、底面部２１は斜め下向きに傾斜した状態になっているので、排紙口１２から排出されスタッカ本体２０Ａの上に落ちた記録用紙は、傾斜面である底面部２１の上を滑り落ち、記録用紙の先端がストッパ２５に突き当たったところで止まる。つまり、記録用紙は、スタッカ本体２０Ａの先端側に堆積する。
【００２６】
（ロール紙カバーおよびスタッカの動作）
次に、図４、図５に基づき、ロール紙カバー１４およびスタッカ２０の動作について説明する。
スタッカ２０は、ロール紙カバー１４が起立しているときは、その後端側の側面部２３がロール紙カバー１４に突き当たった位置（図２（ａ）参照）で止まっているが、このとき、ロール紙カバー１４における張り出し部１６の下に形成された窓部１７は、スタッカ２０によって覆われている。よって、このままでは窓部１７からプリンタ本体１０内を覗くことができない。本実施形態では、スタッカ２０を上向きに回転させることにより、スタッカ２０を取り外さずに、窓部１７の前面位置からどけることができる。
【００２７】
スタッカ２０は、スタッカ本体２０Ａの先端部分、すなわち、ストッパ２５側の部分を上側に持ち上げることにより、軸線Ｃを回転中心として全体が上方に向かって旋回する。図４は、スタッカ２０が、その可動範囲の上端である退避位置Ｂ２にある状態を示す。スタッカ２０は、その底面部２１が斜め下向きになっている突出位置Ｂ１から、底面部２１がまっすぐ前方側を向く位置を経由して上側へ向かって回転し、底面部２１が斜め上向きになった退避位置Ｂ２で止まる。退避位置Ｂ２では、スタッカ２０の腕部２６の側面が張り出し部１６の下端面に当接しており、これにより、スタッカ２０のそれ以上の回転が規制されている。退避位置Ｂ２では、腕部２６よりも上側にスタッカ本体２０Ａが退避しているので、窓部１７の前面側が塞がれていない。よって、窓部１７からプリンタ本体１０の内部を確認でき、ロール紙２の残量を窓部１７から目視で確認できる。
【００２８】
図５は、ロール紙カバー１４が開き位置Ａ２側に移動するときのスタッカ２０の動作説明図である。ロール紙カバー１４をプリンタ本体１０の手前側に引き出して傾けると、スタッカ２０を支持する張り出し部１６は、上述したように水平状態のまま移動する。つまり、張り出し部１６の下面部分に設けられたヒンジピン受け部は、閉じ位置Ａ１にあるときと同じ姿勢を保っている。よって、スタッカ２０の回転可能範囲は常に同じである。スタッカ２０は、上述したように、側面部２３がロール紙カバー１４の前面に押し付けられた状態で起立しているので、ロール紙カバー１４が手前側に徐々に傾くと、最初は、ロール紙カバー１４と共に徐々に傾きながら下降する。そして、ロール紙カバー１４の傾きが所定角度を超えた時点で、ヒンジピン２６ａ，２６ｂを中心に腕部２６が回転し、スタッカ２０の側面部２３がロール紙カバー１４の表面から離れ、それ以降は、張り出し部１６の下面部分から自重でぶら下がった姿勢のまま下降する。
【００２９】
スタッカ２０は、ストッパ２５と底面部２１との接続部である角部２５ａを下に向けた姿勢で下降し、角部２５ａがプリンタ本体１０底面と同じ高さに一番早く下降する。本実施形態では、プリンタ本体１０の底面が載っている設置面Ｄは、プリンタ本体１０の底面と同じ高さでプリンタ本体１０の前方および後方に延びており、角部２５ａが一番早くこの設置面Ｄにぶつかる。上述したように、ロール紙カバー１４にはダンパ機構１９が取り付けられているので、角部２５ａが設置面Ｄに接触するときの衝撃は十分緩衝されている。従って、ロール紙カバー１４からスタッカ２０が外れたり、ロール紙カバー１４あるいはスタッカ２０が破損したりすることがない。
【００３０】
図５（ａ）に示すように、角部２５ａは、スタッカ２０の回転中心である軸線Ｃに対してロール紙カバー１４の下端１４ａとは反対側にある位置で設置面Ｄにぶつかる。言い換えれば、角部２５ａと軸線Ｃを結ぶ直線Ｃ１が、軸線Ｃを通る垂線Ｃ２に対して、ロール紙カバー１４の傾き方向とは逆の方向に傾いている。つまり、この状態でスタッカ２０に設置面Ｄ側から加わる反力Ｄ１は、スタッカ２０を上側に回転させる力として作用する。これにより、スタッカ２０は、設置面Ｄに沿って角部２５ａをプリンタ前方側に向かって滑らせながら上側に回転し、図５（ｂ）に示すように、底面部２１が設置面Ｄの上に載った状態になる。本実施形態では、図５（ｂ）の位置までロール紙カバー１４が開くと、ロール紙カバー１４から排紙口１２に至る開口の大きさがロール紙２の交換作業に最小限必要な大きさを超える。よって、ロール紙プリンタ１の前面側からロール紙２の交換作業などを行うことができる状態になる。
【００３１】
ロール紙カバー１４は、図５（ｂ）の状態からさらに下側に開き、図５（ｃ）に示す開き位置Ａ２に到達して止まる。このとき、スタッカ２０は、側面部２３の下端の角部２３ａを設置面Ｄ上でプリンタ前方側に向かって滑らせながら、さらに上側に回転する。開き位置Ａ２に到達したときのスタッカ２０は、図４に示す上端位置Ｂ２までは回転していないので、例えば、図５（ｃ）の状態からスタッカ２０だけを上側に回転させることが可能であり、ロール紙カバー１４の下に手などを入れて、ロール紙カバー１４を下から持ち上げることができる。また、図５（ｃ）の状態では、スタッカ本体２０Ａがロール紙カバー１４の上端よりも上にある。言い換えれば、この状態では、軸線Ｃからロール紙カバー１４の上端までの距離Ｌ１よりも、腕部２６の長さＬ２の方が長い。従って、ロール紙カバー１４がスタッカ本体２０Ａに干渉せず、スタッカ本体２０Ａがロール紙カバー１４と設置面Ｄとの間に挟まらない。
【００３２】
（本実施形態の効果）
本実施形態では、前開き式のロール紙カバー１４にスタッカ２０を水平軸線回りに回転可能に取り付けたので、スタッカ２０を持ち上げるだけでロール紙カバー１４の窓部１７の前からスタッカ２０をどけることができる。よって、ロール紙残量確認の際にスタッカ２０を取り外す手間を省略できる。また、ロール紙カバー１４を倒すときには、スタッカ２０をロール紙カバー１４の先端側に向かって回転させることにより、ロール紙カバー１４と設置面Ｄとの間からスタッカ２０を退避させることができる。よって、スタッカ２０を取り外さなくても、ロール紙２が交換可能な位置までロール紙カバー１４を旋回させることができる。従って、ロール紙２を交換・補充するためにロール紙カバー１４を開閉する際に、スタッカ２０を取り外す手間を省略できる。
【００３３】
本実施形態では、矩形の皿型のスタッカ本体２０Ａの後端から上方に折れ曲がって延びている腕部２６を備えた形状にスタッカ２０を形成し、腕部２６の上端をロール紙カバー１４の表面から前方に張り出している張り出し部１６の下面部分に取り付けている。また、張り出し部１６は、ロール紙カバー１４の開閉の際に水平状態を保って移動する。従って、スタッカ２０は、その自重により、閉じ位置Ａ１ではプリンタ前方に突出する突出位置Ｂ１に保持されるので、張り出し部１６の先端から落下する記録用紙を受けることができる。また、ロール紙カバー１４が開き位置Ａ２側に旋回するときは、スタッカ２０は、その自重により角部２５ａを下に向けた姿勢で下降し、角部２５ａが一番早くプリンタ本体１０の設置面Ｄにぶつかる。このとき、角部２５ａと軸線Ｃを結ぶ直線Ｃ１は、その下端がプリンタ前方側を向くように傾いているので、設置面Ｄからの反力Ｄ１により、角部２５ａがプリンタ前方側に向かってスライドし、スタッカ２０が上方に向かって回転する。つまり、スタッカ２０は、外力で上向きに回転させなくても、ロール紙カバー１４が倒れるときには自動的に設置面Ｄに当たって上向きに回転し、ロール紙カバー１４の上端側に退避する。よって、ロール紙カバー１４を開けるときにスタッカ２０を持ち上げる手間を省略できる。
【００３４】
本実施形態では、ロール紙カバー１４とプリンタ本体１０との間にダンパ機構１９が取り付けられているので、ロール紙カバー１４を開閉するときの速度が調整される。よって、ロール紙カバー１４が外装ケース１１にぶつかるときの衝撃や騒音を緩和できる。また、ロール紙カバー１４を開けるときに、スタッカ２０がロール紙カバー１４の設置面Ｄ（図５参照）にぶつかるときの衝撃や騒音を緩和できる。また、スタッカ２０やロール紙カバー１４の破損を抑制できる。
【００３５】
（改変例）
上記実施形態では、スタッカ２０を取り付けた張り出し部１６がプラテンフレーム１８などと共に水平な状態を維持しながら動いていたが、ロール紙カバー１４におけるスタッカ２０の取付部は、このような構成に限定されない。例えば、排紙ガイド１３の下方におけるロール紙カバー１４の表面に直接ヒンジピン受け部を形成し、ヒンジピン受け部が、ロール紙カバー１４と一体になってプリンタ前方側に倒れる構成であってもよい。このとき、ロール紙カバー１４の上端である排紙ガイド１３の上端とスタッカ２０の回転中心との距離よりも腕部２６を長くするとよい。このようにすると、スタッカ２０を上側に向かって回転させたときにそのスタッカ本体２０Ａがロール紙カバー１４の上端を越えるので、スタッカ本体２０Ａがロール紙カバー１４と設置面との間に挟み込まれない。よって、ロール紙カバー１４の可動範囲が大きくなる。
【図面の簡単な説明】
【００３６】
【図１】本発明のロール紙プリンタの斜視図である。
【図２】ロール紙カバーの動作説明図である。
【図３】スタッカの斜視図である。
【図４】スタッカの可動範囲の上端（退避位置）である。
【図５】ロール紙カバーが開き位置側に移動するときのスタッカの動作説明図である。
【符号の説明】
【００３７】
１…ロール紙プリンタ、２…ロール紙、１０…プリンタ本体、１１…外装ケース、１１ａ…開口、１２…排紙口、１３…排紙ガイド、１４…ロール紙カバー（開閉カバー）、１４ａ…下端、１５…レバー、１６…張り出し部、１７…窓部、１８…プラテンフレーム、１９…ダンパ機構、２０…スタッカ、２０Ａ…スタッカ本体、２１…底面部、２２，２３，２４…側面部、２３ａ…角部、２５…ストッパ、２５ａ…角部、２６…腕部、２６ａ，２６ｂ…ヒンジピン、Ａ１…閉じ位置、Ａ２…開き位置、Ｂ１…突出位置、Ｂ２…退避位置、Ｃ…軸線、Ｄ…設置面
【図１】
0005338083.tif 000002
【図２】
0005338083.tif 000003
【図３】
0005338083.tif 000004
【図４】
0005338083.tif 000005
【図５】
0005338083.tif 000006